(57)【要約】【課題】  検索対象物と複数の検索条件との関係を視覚的に的確に把握する。【解決手段】  中心部に検索対象物アイコン７０ａが配置された同心円状の時間目盛６１を表示し、時間目盛６１の任意の位置に対して、検索条件４０である学校４１、勤務先４２、駅４３等の施設の学校アイコン４１ａ、勤務先アイコン４２ａ、駅アイコン４３ａ等をドラッグ＆ドロップして配置することで、検索対象物７０との間の所用時間を指定するとともに、移動手段５０の徒歩アイコン５１ａ、自転車アイコン５２ａ、鉄道アイコン５３ａ等にて検索対象物アイコン７０ａとの間を結ぶことで、その移動手段によるその施設までの所用時間を検索条件として指定する。複数の施設までの複数の移動手段による所用時間の指定や、各施設間の検索条件のバランスの把握を視覚的に簡単に行うことができる。【選択図】図１
2005292933.tif 000002
【特許請求の範囲】
【請求項１】
検索画面上に配置された、検索対象物を示す第１アイコンと、検索条件要素を示す第２アイコンと、前記第１および第２アイコンを結び前記検索対象物と前記検索条件要素との関係条件を示す第３アイコンと、を検索条件として検出して前記検索対象物の検索を行うことを特徴とする情報検索方法。
【請求項２】
中心部に検索対象物を示す第１アイコンが位置する同心円状の目盛パターンを含む検索画面を表示する工程と、
前記検索画面上に配置され、検索条件を示す第２アイコンと、前記第１および第２アイコンを結び付け前記検索対象物と前記検索条件要素との関係条件を示す第３アイコンとを、検索条件として検出して前記検索対象物の検索を行う工程と、
を含むことを特徴とする情報検索方法。
【請求項３】
コンピュータを用いて情報検索を行う情報検索システムであって、
前記コンピュータは、
中心部に検索対象物を示す第１アイコンが配置された同心円状の目盛パターンを含む検索画面を表示する機能と、
前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、
を含むことを特徴とする情報検索システム。
【請求項４】
コンピュータに情報検索を行わせる情報検索プログラムであって、
前記コンピュータに、
中心部に検索対象物を示す第１アイコンが配置された同心円状の目盛パターンを含む検索画面を表示する機能と、
前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、
を実現させるための情報検索プログラム。
【請求項５】
コンピュータに情報検索を行わせる情報検索プログラムであって、
前記コンピュータに、
中心部に検索対象物を示す第１アイコンが配置された同心円状の目盛パターンを含む検索画面を表示する機能と、
前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、
を実現させるための情報検索プログラムが格納されたコンピュータ読み取り可能な記録媒体。
【発明の詳細な説明】
【技術分野】
【０００１】
本発明は、情報検索技術に関し、特に、ＧＵＩ（Graphical User Interface）環境を用いた情報検索技術等に適用して有効な技術に関する。
【背景技術】
【０００２】
たとえば、不動産物件等の検索においては、目的の物件と、関係する施設との間の移動所用時間が主要な条件として検索される場合が多い。たとえば、勤務先や駅、学校等の施設までの所用時間は、ユーザが物件の利便性を判断する上で重用な要素となる。
【０００３】
このため、たとえば、特許文献１では、目標とする施設とそこまでの所用時間等を条件の入力を受けて、入力された条件で当該施設に到達可能な物件を検索する技術が開示されている。
【０００４】
このような検索システムでは、検索条件の入力作業の操作性はユーザの利便性に大きく影響する重用な要素である。ところが、特許文献１では、条件の入力作業の操作性の向上等については配慮されていない。
【０００５】
すなわち、特許文献１では、その図４等に記載されているように、個々の施設毎に、施設名や交通手段、時間条件の各々毎に設けられた空欄を文字入力で埋める形式であるため、入力作業が煩雑になるとともに、検索条件が複数存在する場合、検索対象物件と検索条件との関連を把握しづらくなる。また、複数の検索条件同士の関連を把握するのも困難である等、種々の技術的課題がある。
【特許文献１】特開２００１−３３１５０７号公報
【発明の開示】
【発明が解決しようとする課題】
【０００６】
本発明の目的は、検索対象物と複数の検索条件との関係を視覚的に的確に把握することが可能な情報検索技術を提供することにある。
本発明の他の目的は、簡単な操作で、比較的複雑な検索条件を容易に入力することが可能な情報検索技術を提供することにある。
【課題を解決するための手段】
【０００７】
本発明の第１の観点は、検索画面上に配置された、検索対象物を示す第１アイコンと、検索条件要素を示す第２アイコンと、前記第１および第２アイコンを結び前記検索対象物と前記検索条件要素との関係条件を示す第３アイコンと、を検索条件として検出して前記検索対象物の検索を行う情報検索方法を提供する。
【０００８】
本発明の第２の観点は、中心部に検索対象物を示す第１アイコンが位置する同心円状の目盛パターンを含む検索画面を表示する工程と、前記検索画面上に配置され、検索条件を示す第２アイコンと、前記第１および第２アイコンを結び付け前記検索対象物と前記検索条件要素との関係条件を示す第３アイコンとを、検索条件として検出して前記検索対象物の検索を行う工程と、を含む情報検索方法を提供する。
【０００９】
本発明の第３の観点は、コンピュータを用いて情報検索を行う情報検索システムであって、前記コンピュータは、
中心部に検索対象物を示す第１アイコンが配置された同心円状の目盛パターンを含む検索画面を表示する機能と、前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、を含む情報検索システムを提供する。
【００１０】
本発明の第４の観点は、コンピュータに情報検索を行わせる情報検索プログラムであって、前記コンピュータに、中心部に検索対象物を示す第１アイコンが配置された同心円状の目盛パターンを含む検索画面を表示する機能と、前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、を実現させるための情報検索プログラムを提供する。
【００１１】
本発明の第５の観点は、コンピュータに情報検索を行わせる情報検索プログラムであって、前記コンピュータに、中心部に検索対象物を示す第１アイコンが配置された同心円状の目盛パターンを含む検索画面を表示する機能と、前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、を実現させるための情報検索プログラムが格納されたコンピュータ読み取り可能な記録媒体を提供する。
【００１２】
上記した本発明によれば、たとえば、以下のようにして情報検索を行うことができる。すなわち、検索画面に同心円とその中心に検索対象物を示す第１アイコンを表示するとともに、その両側に検索条件として施設を示す第２アイコンの一覧と、移動手段を示す第３アイコンの一覧をユーザに提示する。そして、ユーザは検索条件として施設の第２アイコンを選択し同心円上にドラッグ＆ドロップで配置するとともに、検索対象物と施設のアイコンの間に、選択した移動手段の第３アイコンをドラッグ＆ドロップで配置する。また、必要に応じて検索条件として選択した施設に関する詳細情報を指定することができる。
【００１３】
このような検索条件の指定操作において、ユーザは複数の施設を検索条件として指定する場合、同心円の中心に位置する検索対象物と各施設との位置関係から、各施設間の移動時間等の検索条件のバランス等を一目で視覚的に把握することができる。
【００１４】
そして、検索システム側では、この検索画面上における検索対象物と施設の第２アイコンの位置と、両者の間隔（この場合、同心円の中心からの距離）、すなわち両者を結ぶ移動手段の第３アイコンの長さを移動手段による所用時間として検出することで、たとえば学校等の施設から徒歩で１０分以内にあるもの、という検索条件を認識し、当該検索条件に適合する検索対象物を、アプリケーションサーバや地図システム等と連携して、検索結果として出力する。
【００１５】
そして、検索結果として、たとえば該当する物件が一覧形式で表示され、その中の１つをクリック等の操作で選択すると、たとえば同じ画面右側に検索時と同様の同心円上に検索対象物の第１アイコンと、指定した施設の第２アイコンとを、所用時間が反映した長さの第３アイコンで結んで配置して表示する。
【００１６】
これにより、ユーザは、実在する物件と指定した複数の施設との所用時間のバランスを一目で認識して採否の判断を的確に行うことができる。この表示に際して、同心円上に検索対象物に対する各施設の方位関係が反映されるように東西南北に配置してもよい。これにより、たとえば特定の施設への経路途中に別の施設があるため寄り道に便利、等の判断を行うことが可能になる。
【００１７】
そして、一覧から逐次、同心円上への結果表示を行わせ、気に入った物件の場合には、中心の検索対象物の第１アイコンをクリックすることで、当該物件に関する詳細情報を表示する。
【００１８】
このように、本発明では、検索対象物を示す第１アイコンを中心とした同心円上に、関連付けする施設の第２アイコンや、当該施設までの移動手段等の検索条件を示す第３アイコンを配置することにより、検索対象物と検索条件の関係をビジュアルに表現している。
【００１９】
両者の間隔を示す第３アイコンの属性は検索用途によって随意に変更可能であり、両者の間隔の値としては、時間のみならず、距離、料金等の定量化可能な任意の値として設定することもできる。
【００２０】
第１および第２アイコンの両者を第３アイコンの線で結んで当該第３アイコンの色や太さで表現し、両者がもつ関係や数値を表すことにより詳細な条件設定ができる。
【発明の効果】
【００２１】
本発明によれば、検索対象物と複数の検索条件との関係を視覚的に的確に把握することが可能となる。
また、簡単な操作で、比較的複雑な検索条件を容易に入力することが可能となる。
【発明を実施するための最良の形態】
【００２２】
以下、図面を参照しながら、本発明の実施の形態について詳細に説明する。
図２は、本発明の一実施の形態である情報検索方法を実施する情報検索システムを実現するコンピュータの構成の一例を示す概念図であり、図１は、本実施の形態の情報検索システムにおける検索画面の構成の一例を示す概念図である。
【００２３】
本実施の形態では、情報検索の一例として不動産情報の検索に適用した場合を例にとって説明する。
本実施の形態の情報検索システムは、たとえばパーソナルコンピュータ等で構成されるビジュアル検索システム１０と、このビジュアル検索システム１０に接続されるアプリケーションサーバ２０および地図情報システム３０からなる。本実施の形態のビジュアル検索システム１０は、マイクロプロセッサ１１と、このマイクロプロセッサ１１を制御するオペレーティングシステム８０や、このオペレーティングシステム８０の管理下で稼働し、後述のような検索処理を行う検索プログラム８１等のソフトウェアが格納される主記憶１２と、この主記憶１２にロードされるこれらのソフトウェアが持久的に格納される外部記憶装置１５等を備えており、これらはバス１８を介して相互に接続されている。
【００２４】
さらにバス１８には、ユーザに情報を可視化して提示するためのディスプレイ１３、ユーザが情報を入力するためのキーボードやマウス等で構成される入力装置１４、外部の記録媒体１９との間でデータの読み書きを行う可搬媒体ドライブ１７、外部の情報ネットワークと接続するためのネットワークインタフェース１６、等を備えている。
【００２５】
検索プログラム８１は、たとえば、記録媒体１９に格納されて流通し、記録媒体１９を可搬媒体ドライブ１７に装填して読み取ることで、外部記憶装置１５に持久的に格納され、この外部記憶装置１５から主記憶１２に必要に応じてロードされて実行されることにより、後述のような検索処理が実行される。
【００２６】
ビジュアル検索システム１０には、ネットワークインタフェース１６を介して、後述の物件データベース２１や施設データベース２２を用いて後述の処理を行うアプリケーションサーバ２０、および地図データベース３１を用いて後述の処理を行う地図情報システム３０が接続されている。
【００２７】
図４（ａ）に例示されるように、物件データベース２１は、マンション物件、一戸建て物件、賃貸物件等の物件名称２１ａと、物件住所２１ｂとが個々の物件毎に対応付けて格納されている。
【００２８】
図４（ｂ）に例示されるように、施設データベース２２には、駅や学校等の施設に関して、施設名称２２ａと、種別２２ｂと、施設住所２２ｃとが、個々の施設毎に対応付けて格納されている。
【００２９】
図４（ｃ）に例示されるように、地図データベース３１には、施設名３１ａ、緯度／経度で表現された座標位置情報３１ｂ、施設種別３１ｃ、最寄り交通機関３１ｄ、最寄り交通機関まで徒歩で何分かかるかを示す徒歩所用時間３１ｅ、住所３１ｆ、さらには、図示しない鉄道路線情報、鉄道時刻情報、バス路線情報、道路地図、等のあらゆる交通機関の情報が格納されている。
【００３０】
そして、本実施の形態では、地図情報システム３０は、アプリケーションサーバ２０の側から、たとえば二つの住所３１ｆや、施設名３１ａ、あるいは座標位置情報３１ｂ等の位置情報と、徒歩、自転車、鉄道等の移動手段の種別等の情報を受け取り、それに対して所用時間を応答する動作を行う機能を備えている。
【００３１】
この地図情報システム３０の機能では、たとえば、移動手段が徒歩や自転車の場合には、指定された二つの位置を結ぶ最短の道路上の経路を道路地図から探索し、その移動手段での時速を考慮して所用時間を算出する方法を用いることができる。
【００３２】
また、移動手段が鉄道等の交通機関の場合には、指定された二つの位置の最寄りの駅を結ぶ路線を探索し、時刻表による発着時刻や駅間の所用時間と、徒歩による当該駅までの所用時間の和として、当該交通機関による所用時間を求める方法が用いられる。
【００３３】
以下、図７のフローチャート等を参照して本実施の形態の作用の一例について説明する。
まず、準備処理として、駅や学校他の施設の施設名称２２ａ、種別２２ｂ、施設住所２２ｃ等の情報を登録した施設データベース２２と、不動産物件の物件名称２１ａ、物件住所２１ｂ、物件種別２１ｃ（マンション、一軒家等）等を登録した物件データベース２１を構築する。この物件データベース２１および施設データベース２２は既存のシステムのものを用いてもよい。
【００３４】
次に、入力装置１４からのコマンド等で検索プログラム８１を起動すると、図１に示されるような検索画面１３ａをディスプレイ１３に表示する（ステップ２０１）。
この検索画面１３ａは、同心円状に時間目盛６１が設けられた検索条件設定領域６０と、その両側に設けられた検索条件４０および移動手段５０の表示領域からなる。
【００３５】
検索条件設定領域６０の同心円の中央部には、検索対象物７０の集合を象徴する検索対象物アイコン７０ａが配置されている。
右側の検索条件４０には、検索条件として指定可能な学校４１、勤務先４２、駅４３、等の複数の施設の各々を象徴する学校アイコン４１ａ、勤務先アイコン４２ａ、駅アイコン４３ａ、等が表示されている。
【００３６】
左側の移動手段５０の領域には、検索条件として指定可能な徒歩５１、自転車５２、鉄道５３、等の各々を象徴する徒歩アイコン５１ａ、自転車アイコン５２ａ、鉄道アイコン５３ａ、等が表示されている。
【００３７】
そして、このような検索画面１３ａに対して、ユーザは、マウス等の入力装置１４を操作して検索条件を設定する（ステップ２０２）。
検索条件の一例として、マンション検索を例に挙げる。「駅まで徒歩で１０分」、「学校まで徒歩で３０分」、「勤務先まで電車で６０分」以内で到着すること、を条件とする。
【００３８】
この場合、ユーザは、検索条件４０から駅アイコン４３ａを時間目盛６１の１０分の位置へドラッグ＆ドロップし、さらに、この駅アイコン４３ａと検索対象物アイコン７０ａとの間には、この両者を結び付けるように徒歩アイコン５１ａを配置する。
【００３９】
同様に、検索条件４０から学校アイコン４１ａを時間目盛６１の３０分の位置にドラッグ＆ドロップし、さらに、この学校アイコン４１ａと検索対象物アイコン７０ａとの間には、この両者を結び付けるように徒歩アイコン５１ａを配置する。
【００４０】
同様に、検索条件４０から勤務先アイコン４２ａを時間目盛６１の６０分の位置にドラッグ＆ドロップし、さらに、この勤務先アイコン４２ａと検索対象物アイコン７０ａとの間には、この両者を結び付けるように鉄道アイコン５３ａを配置する。
【００４１】
また、これらの操作において、検索条件設定領域６０に配置された検索条件４０の各アイコンをクリックすると、図３に例示されるような詳細情報入力画面１３ｂがディスプレイ１３に表示され、必要に応じて、施設名や住所等の情報を入力する。
【００４２】
なお、この時、必要に応じて、たとえば、移動手段５０のアイコンの配置完了のイベントを検出する毎に、検索対象物アイコン７０ａと、検索条件４０の各アイコンまでの距離と、その間の移動手段５０のアイコンの種別から、検索条件を文章化して検索画面１３ａの下側に表示してもよい。
【００４３】
このような条件入力処理を、検索画面１３ａの図示しない検索開始ボタンがクリックされるまで反復する（ステップ２０３）。
そして、上述のステップ２０２の入力処理が完了すると、すなわち検索開始ボタンがクリックされると、検索プログラム８１は、検索対象物アイコン７０ａに対する個々の検索条件４０のアイコンとの距離（時間）と、両者間の移動手段５０の種別を移動手段５０のアイコンの種類から自動的に判別して、上述した、「駅まで徒歩で１０分」、「学校まで徒歩で３０分」、「勤務先まで電車で６０分」以内で到着すること、という検索条件を認識する（ステップ２０４）。
【００４４】
そして、検索プログラム８１は、アプリケーションサーバ２０に、上述の検索画面１３ａに対するユーザの入力操作にて設定された上述の検索条件を与えて検索を指示する。
これを受けたアプリケーションサーバ２０は、物件データベース２１に格納されている候補物件の住所等の位置情報と、検索条件４０で指定され、施設データベース２２から得られた施設の位置情報と、両者間での移動手段の情報を地図情報システム３０に与えて、当該移動手段による両者間の所用時間を計算させ（ステップ２０５）、得られた所用時間が指定条件内であれば（すなわち、指定された移動手段で指定された時間内に到達できれば）（ステップ２０６）、当該候補物件を結果候補に登録し（ステップ２０７）、このステップ２０５〜ステップ２０７の処理を、指定された上述の全条件（施設）および物件データベース２１の候補物件について反復する（ステップ２０８）。
【００４５】
そして、アプリケーションサーバ２０は、必要に応じて、各条件（施設）間の論理条件や、複数の候補物件のうち、より上記検索条件を満たすもの、すなわち、徒歩１０分以内が条件の場合で、徒歩８分と徒歩５分の物件があった場合、徒歩５分の側を優先して選択する、等の絞り込みを行い、その結果をビジュアル検索システム１０に応答する（ステップ２０９）。
【００４６】
ビジュアル検索システム１０の検索プログラム８１は、ディスプレイ１３に表示される図５の結果出力画面１３ｃの左側に、検索結果一覧表示７１を表示し、ユーザは、検索結果一覧表示７１の中から、一つを選択してクリックすると、結果出力画面１３ｃの右側に、検索結果図形表示領域６０ａを出力する（ステップ２１０）。
【００４７】
この結果出力画面１３ｃの検索結果図形表示領域６０ａにおいては、物件と各条件のアイコンの距離が、検索結果の物件と当該条件の施設との間の実際の所用時間および移動手段を反映するように、検索対象物アイコン７０ａと、学校アイコン４１ａ、勤務先アイコン４２ａ、駅アイコン４３ａの各々との距離等が設定されて表示される。
【００４８】
また、検索結果図形表示領域６０ａに検索結果を表示した状態で、ユーザが中央の検索対象物アイコン７０ａをクリックすると、図６に例示されるような詳細情報表示画面１３ｄが出力され、当該物件に関する詳細な情報を見ることができる。
【００４９】
以上のように、本実施の形態では、ディスプレイ１３に出力される検索画面１３ａから、検索対象物７０と複数の検索条件４０や移動手段５０との関連からなる検索条件を、これらのアイコンや位置関係を用いて視覚的に把握しながら簡単に指定できる。
【００５０】
このため、検索条件の入力において、簡単な操作で、比較的複雑な検索条件を容易に入力することが可能となるとともに、一度の検索で目的の検索対象物が検索できる。
なお、図１に例示した検索画面１３ａの変形例として、図８に例示される検索条件入力画面１３ｅをディスプレイ１３に表示して検索条件の入力を行わせることもできる。すなわち、この検索条件入力画面１３ｅでは、検索条件設定領域６０−１における検索条件４０のアイコンの配置位置が、当該アイコンにて指定される検索条件４０の他の検索条件４０に対する優先順位を示すようにしたものであり、検索条件設定領域６０−１内の上側に位置するほど優先順位が高い。
【００５１】
たとえば、図８の例では、一番下に位置する勤務先アイコン４２ａの条件の優先順位が最も低く、一番上に位置する学校アイコン４１ａの条件が優先順位が最も高く、その中間の順位が駅アイコン４３ａで示される条件となる。なお、この優先順位の判定処理は、上述した図７のステップ２０９にて行うことができる。
【００５２】
従って、ユーザは、優先したい条件のアイコンを検索条件設定領域６０−１の中でより上側に配置することで、複数の検索条件の優先順位の指定を視覚的に簡単に行うことが可能になる。
【００５３】
また、図５に例示した結果出力画面１３ｃの変形例として、図９に例示される検索結果表示画面１３ｆを用いることもできる。この検索結果表示画面１３ｆでは、検索結果一覧表示７１の個々の検索結果について視覚的な表示を行う検索結果図形表示領域６０ａ−１において、検索条件４０のアイコンを、検索対象物アイコン７０ａに対して、検索条件の各施設と、検索結果の実際の物件との方位関係も反映した表示状態とするものである。
【００５４】
すなわち、検索結果図形表示領域６０ａ−１において、通常の地図等と同様に、東西南北を定め、検索結果の一つの物件と、それに関係する検索条件としての各施設の方位関係および距離（時間）関係を反映した表示状態としている。
【００５５】
これにより、たとえば、中央部の物件に対して、駅アイコン４３ａと学校アイコン４１ａがほぼ反対の方角に位置するため、「駅への行き帰りの途中で学校に寄って子供を送り迎えしたい」場合には、この物件は不便だ、などの詳細な評価が可能となる。
【００５６】
図１０は、図１の検索画面１３ａにおける検索条件設定領域６０の変形例を示している。この図１０の検索条件入力画面１３ｇでは、検索条件設定領域６０−２が、徒歩、自転車、鉄道、等の移動手段５０に対応した３つの領域に周方向に区分されている。そして、検索条件を指定する場合の検索条件４０の各アイコンの配置においては、当該アイコンの配置領域が、移動手段５０のいずれに該当するかが、上述の３つの区分領域のいずれに配置するかで自動的に指定されるようにしたものである。すなわち、移動手段５０に関するアイコンの配置は検索条件４０のアイコンの配置位置に応じて自動的に対応するものが検索プログラム８１にて選択されて設定される。このため、ユーザによる移動手段５０に関するアイコンの配置操作を省略して検索条件の指定操作をより簡単に行わせることが可能となる。
【００５７】
図１１は、図１に例示した検索画面１３ａのさらに他の変形例を示す。この図１１に例示される検索条件入力画面１３ｈでは、検索条件設定領域６０−３において、時間目盛６１は直線として平行に配列され、検索対象物アイコン７０ａが位置に対応した左端の基準線６１ａからの水平方向の距離が移動手段５０による所用時間を示し、移動手段５０のアイコンは基準線６１ａ（検索対象物アイコン７０ａ）から水平方向に選択された検索条件４０の各アイコンに接続されるように配置される。
【００５８】
なお、必要に応じて、検索条件設定領域６０−３における上下方向での検索条件４０のアイコン間の位置関係にて優先順位を指定するようにしてもよい。
そして、この検索条件入力画面１３ｈによる検索結果の出力表示は、当該検索条件入力画面１３ｈと同様の態様にて行うことができる。
【００５９】
この図１１の検索条件入力画面１３ｈの場合にも、検索条件の関係が視覚的に一目で把握できる、という利点がある。
なお、上述の説明では、一例として、ビジュアル検索システム１０と、アプリケーションサーバ２０および地図情報システム３０を分けて説明しているが、ビジュアル検索システム１０の検索プログラム８１にて、これら全体の機能を実現するようにしてもよい。
【００６０】
以上の説明では、本発明の実施の形態として、不動産情報の検索に適用した場合を例示したが、複合した検索条件を設定して検索を行う一般の検索技術に広く適用することができる。
【００６１】
（付記１）
検索画面上に配置された、検索対象物を示す第１アイコンと、検索条件要素を示す第２アイコンと、前記第１および第２アイコンを結び前記検索対象物と前記検索条件要素との関係条件を示す第３アイコンと、を検索条件として検出して前記検索対象物の検索を行うことを特徴とする情報検索方法。
【００６２】
（付記２）
前記第１、第２および第３アイコンの視覚的相対関係に基づいて、前記検索条件が設定されることを特徴とする付記１に記載の情報検索方法。
【００６３】
（付記３）
中心部に検索対象物を示す第１アイコンが位置する同心円状の目盛パターンを含む検索画面を表示する工程と、
前記検索画面上に配置され、検索条件を示す第２アイコンと、前記第１および第２アイコンを結び付け前記検索対象物と前記検索条件要素との関係条件を示す第３アイコンとを、検索条件として検出して前記検索対象物の検索を行う工程と、
を含むことを特徴とする情報検索方法。
【００６４】
（付記４）
コンピュータを用いて情報検索を行う情報検索システムであって、
前記コンピュータは、
中心部に検索対象物を示す第１アイコンが配置された同心円状の目盛パターンを含む検索画面を表示する機能と、
前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、
を含むことを特徴とする情報検索システム。
【００６５】
（付記５）
コンピュータに情報検索を行わせる情報検索プログラムであって、
前記コンピュータに、
中心部に検索対象物を示す第１アイコンが配置された同心円状の目盛パターンを含む検索画面を表示する機能と、
前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、
を実現させるための情報検索プログラム。
【００６６】
（付記６）
コンピュータに情報検索を行わせる情報検索プログラムであって、
前記コンピュータに、
中心部に検索対象物を示す第１アイコンが配置された同心円状の目盛パターンを含む検索画面を表示する機能と、
前記検索画面上に配置された、検索条件を示す第２アイコンおよび前記第１アイコンと第２アイコンとを結び付け前記検索対象物と前記検索条件要素との関係条件を示す第３アイコンを、検索条件として検出する機能と、
を実現させるための情報検索プログラムが格納されたコンピュータ読み取り可能な記録媒体。
【００６７】
（付記７）
検索画面上に配置された、検索対象物を示す第１アイコンと、検索条件要素を示す第２アイコンと、前記第１および第２アイコンを結び前記検索対象物と前記検索条件要素との関係条件を示す第３アイコンと、を検索条件として入力することを特徴とする検索条件の入力方法。
【００６８】
（付記８）
検索画面上に配置された、検索対象物を示す第１アイコンと、検索条件要素を示す第２アイコンと、前記第１および第２アイコンを結び前記検索対象物と前記検索条件要素との関係条件を示す第３アイコンと、を検索結果として表示することを特徴とする検索結果の表示方法。
【図面の簡単な説明】
【００６９】
【図１】本発明の一実施の形態である情報検索システムにおける検索画面の構成の一例を示す概念図である。
【図２】本発明の一実施の形態である情報検索方法を実施する情報検索システムの構成の一例を示す概念図である。
【図３】本発明の一実施の形態である情報検索システムにおける情報入力画面の構成の一例を示す概念図である。
【図４】（ａ）〜（ｃ）は、本発明の一実施の形態である情報検索システムにて用いられる各種データベースの構成の一例を示す概念図である。
【図５】本発明の一実施の形態である情報検索システムにおける検索結果の出力画面の構成の一例を示す概念図である。
【図６】本発明の一実施の形態である情報検索システムにおける検索結果の詳細情報の出力画面の構成の一例を示す概念図である。
【図７】本発明の一実施の形態である情報検索方法を実施する情報検索システムの作用の一例を示すフローチャートである。
【図８】本発明の一実施の形態である情報検索システムにおける検索画面の構成の変形例を示す概念図である。
【図９】本発明の一実施の形態である情報検索システムにおける検索結果の出力画面の構成の変形例を示す概念図である。
【図１０】本発明の一実施の形態である情報検索システムにおける検索画面の構成の変形例を示す概念図である。
【図１１】本発明の一実施の形態である情報検索システムにおける検索画面の構成の変形例を示す概念図である。
【符号の説明】
【００７０】
１０  ビジュアル検索システム
１１  マイクロプロセッサ
１２  主記憶
１３  ディスプレイ
１３ａ  検索画面
１３ｂ  詳細情報入力画面
１３ｃ  結果出力画面
１３ｄ  詳細情報表示画面
１３ｅ  検索条件入力画面
１３ｆ  検索結果表示画面
１３ｇ  検索条件入力画面
１３ｈ  検索条件入力画面
１４  入力装置
１５  外部記憶装置
１６  ネットワークインタフェース
１７  可搬媒体ドライブ
１８  バス
１９  記録媒体
２０  アプリケーションサーバ
２１  物件データベース
２１ａ  物件名称
２１ｂ  物件住所
２１ｃ  物件種別
２２  施設データベース
２２ａ  施設名称
２２ｂ  種別
２２ｃ  施設住所
３０  地図情報システム
３１  地図データベース
３１ａ  施設名
３１ｂ  座標位置情報
３１ｃ  施設種別
３１ｄ  最寄り交通機関
３１ｅ  徒歩所用時間
３１ｆ  住所
４０  検索条件
４１  学校
４１ａ  学校アイコン（第２アイコン）
４２  勤務先
４２ａ  勤務先アイコン（第２アイコン）
４３  駅
４３ａ  駅アイコン（第２アイコン）
５０  移動手段
５１  徒歩
５１ａ  徒歩アイコン（第３アイコン）
５２  自転車
５２ａ  自転車アイコン（第３アイコン）
５３  鉄道
５３ａ  鉄道アイコン（第３アイコン）
６０  検索条件設定領域
６０−１  検索条件設定領域
６０−２  検索条件設定領域
６０−３  検索条件設定領域
６０ａ  検索結果図形表示領域
６０ａ−１  検索結果図形表示領域
６１  時間目盛
６１ａ  基準線
７０  検索対象物
７０ａ  検索対象物アイコン（第１アイコン）
７１  検索結果一覧表示
８０  オペレーティングシステム
８１  検索プログラム
【図１】
2005292933.tif 000003
【図２】
2005292933.tif 000004
【図３】
2005292933.tif 000005
【図４】
2005292933.tif 000006
【図５】
2005292933.tif 000007
【図６】
2005292933.tif 000008
【図７】
2005292933.tif 000009
【図８】
2005292933.tif 000010
【図９】
2005292933.tif 000011
【図１０】
2005292933.tif 000012
【図１１】
2005292933.tif 000013